(57)【特許請求の範囲】
【請求項１】
電子地図に広告をロードするために、広告領域を特定するステップ（ａ）、広告を設計するステップ（ｂ）、および広告を配信するステップ（ｃ）を順に実施する方法であって、
上記広告領域を特定するステップ（ａ）では、サーバが、地理情報システム内の上記電子地図を開き、異なる表示スケールで上記電子地図上の少なくとも１つの空白領域を広告領域として特定し、各特定された広告領域に番号を付し、現在の表示スケール、座標、大きさ、および形状を含む各広告領域の属性を記録し、
上記広告を設計するステップ（ｂ）では、上記サーバが、各特定された広告領域の上記属性に従って、少なくとも１つの２Ｄ広告グラフを設計し、上記広告領域には上記２Ｄ広告グラフの形状が適応しており、
上記広告を配信するステップ（ｃ）では、上記サーバが、上記２Ｄ広告グラフを上記対応する広告領域に配置して、上記地理情報システムを介して、クライアントに配信することを特徴とする方法。
【請求項２】
請求項１に記載の方法において、
上記ステップ（ｂ）における上記２Ｄ広告グラフの形式の明示は、２Ｄまたはマルチメディア広告であることを特徴とする方法。
【請求項３】
請求項２に記載の方法において、
上記２Ｄ広告グラフは、不規則な形状であることを特徴とする方法。
【請求項４】
請求項１に記載の方法において、
上記ステップ（ａ）の各広告領域の形状は、対応する表示スケールで対応する位置の形状に合うことを特徴とする方法。
【請求項５】
請求項１に記載の方法において、
上記ステップ（ｃ）における対応する広告領域への上記２Ｄ広告グラフの掲載は、挿入、重ね合わせ、または置き換えのうちの１つを備えることを特徴とする方法。
【請求項６】
請求項１に記載の方法において、
或る領域が、屋外広告が配置されている実際の地理的な位置に対応して、上記電子地図上での広告領域として特定され、その領域には、上記地理的な位置における上記屋外広告のコンテンツと一致するコンテンツを有する上記２Ｄ広告グラフが配置されることを特徴とする方法。
【請求項７】
請求項１に記載の方法において、
上記電子地図は、ラスター地図、ベクター地図または３Ｄ地図のうちの１つを備えることを特徴とする方法。
【発明の詳細な説明】
【技術分野】
【０００１】
本発明は、ワールドワイドウェブ（Ｗｏｒｌｄ−Ｗｉｄｅ−Ｗｅｂ）地理情報システム（ＷＥＢＧＩＳ）の技術分野に関し、特に電子地図に広告を設計および表示する方法に関する。
【背景技術】
【０００２】
近代社会の情報化時代への突入に伴い、通信技術とインターネットの開発は人々のライフスタイルを途方もなく変えている。社会の発達につれて、人々の活動範囲はますます拡張し、また、ますます不確実になる。上記拡張および不確実さは、位置情報を基にしたサービスの実行や拡張についての無制限なビジネスの機会とともに、移動通信への売り込みと挑戦とを生み出す。
【０００３】
従来の紙の地図と比較して、オンライン電子地図は、より高速な更新速度と、より深いデータの基盤がある。上記電子地図は位置、道路、交通、旅行などの情報をユーザに提供するだけではなく、エンターテイメント、食べ物など、どんな局面の日常生活情報も提供する。今日、急速な成長期に入った上記電子地図は、多くのユーザが出発する前に検索および参照するアプローチになった。アイリサーチ（ｉＲｅｓｅａｒｃｈ）によって発行された中国オンライン地図情報サービス調査レポート２００７（Ｃｈｉｎａ  Ｏｎｌｉｎｅ  Ｍａｐ  Ｉｎｆｏｒｍａｔｉｏｎ  Ｓｅｒｖｉｃｅ  Ｒｅｓｅａｒｃｈ  Ｒｅｐｏｒｔ  ２００７）によると、オンライン地図サービスは高度成長の最盛期に入っている。少なくとも１ヶ月に１度オンライン地図を使用するユーザの数は４５００万人に達し、２００８年には９０００万に達すると見積もられており、これはインターネットユーザーの半数以上である。上記電子地図は、インターネット開発の新しいホットスポット（ｈｏｔ  ｓｐｏｔ）になった。複数のポータルウェブサイトおよびサーチエンジンは、オンライン電子地図サービスの開発を競っている。
【０００４】
上記電子地図ユーザの爆発的な増加により、地図検索および地図広告は、インターネット販売における、もう一つのルミネッセントスポット（ｌｕｍｉｎｅｓｃｅｎｔ  ｓｐｏｔ）になるだろう。いくつかの企業にとって、上記電子地図に掲載され、捜されることは、必ず、潜在的な顧客の高い参加率（ｃｏｎｖｅｎｔｉｏｎ  ｒａｔｅ）がある新しい商機をもたらす。今までのところ、上記電子地図は既に深いユーザの基盤を有し、成熟した販売アプローチになった。それは高効率、低価格などの利点を有する上記電子地図を利用する企業のための新しい販売アプローチと見なされる。
【０００５】
複数の電子地図情報システムのうち、ＧＩＳ（地理情報システム）は、人々の旅行、活動、および日常生活を大いに容易にしたので、かなり有名になった。ＷＥＢＧＩＳ、つまりＷＥＢ技術とＧＩＳとの組み合わせで、ＧＩＳの有用性は、より幅広いものになった。
【０００６】
上記従来のＧＩＳと比較して、ＷＥＢＧＩＳは主に３つの局面に明示される特性を有する。すなわち、（１）ＷＥＢＧＩＳはネットワークベースのクライアント・サーバーシステムである一方、最も伝統的なＧＩＳは、スタンド・アローン・システムである。（２）ＷＥＢＧＩＳは、インターネットを使って、クライアントとサーバとの間で情報を交換する。これは、上記情報の世界的な転送を意味する。（３）ＷＥＢＧＩＳは、上記クライアントと上記サーバとが別の場所および異なるコンピュータプラットホーム上で分配されうる分配システムである。
【０００７】
ＷＥＢＧＩＳに関連するいくつかの用語を、ＷＥＢＧＩＳを理解するのを助けるために以下に紹介する。
【０００８】
ベクター地図（Ｖｅｃｔｏｒ  Ｍａｐ）：ベクター地図は、直交座標系に基づく上記摘出電子地図データの格納モードである。それは、ドット、ライン、およびポリゴンで、地理的な要素のデータモデルまたはデータ編成を描く。各地理的な要素は、上記地理的な要素の属性に結び付けられる一連のｘおよびｙのシーケンスによって描かれる。
【０００９】
レイヤー（Ｌａｙｅｒ）：レイヤーは、レイヤーモードに格納される上記電子地図の構成モードである。このレイヤーモードにおいて、上記電子地図データは、ドット、ライン、および平面の基本的な層によって重ね合わせられた合成物である。例えば既存の地図には、地域区分、通り、水、緑、道路、ＰＯＩ（Ｐｏｉｎｔ  Ｏｆ  Ｉｎｔｅｒｅｓｔの略語）のレイヤーがある。これらのレイヤーはそれぞれ設計され、後ろのレイヤーが前のレイヤーにひとつずつ重ね合わせられる態様で配置されている。上記ＰＯＩレイヤーは、すべてのレイヤーの一番上に配置され、複数のＰＯＩを含んでいる。図１に示されているように、各ＰＯＩは、例えば名前、クラス、緯度、経度などの複数の局面に関する情報を含んでいてもよい。厳密に言うと、上記ＰＯＩは、上記情報の正確さを保証するために現場での情報の収集を必要とする。
【００１０】
ラスター地図（Ｒａｓｔｅｒ  Ｍａｐ）：ラスター地図は、一連の行と列によって形成されるグリッドデータモデルに基づく既存の電子地図データの別の格納モードである。ラスター地図は一群のグリッドで上記地理的な要素を描く。各グリッド（その値は実際の地理的な要素を表す。）は、具体的な名称に対応する。
【００１１】
エイジャックス（Ａｊａｘ）：  Ａｊａｘ（Ａｓｙｎｃｈｒｏｎｏｕｓ  ＪａｖａＳｃｒｉｐｔ＋ＸＭＬの略語）は、現在、電子地図を作るための汎用の技術的な実現手法である。それはただ一つの技術ではなく、複数の技術の組み合わせである。これら複数の技術には、ウェブページのスタイルを制御するためのＸＨＴＭＬおよびＣＳＳと、動的表示および動的相互作用のための文書オブジェクト・モデル（Ｄｏｃｕｍｅｎｔ  Ｏｂｊｅｃｔ  Ｍｏｄｅｌ）と、データ相互作用およびデータ操作のためのＸＭＬおよびＸＳＬＴと、非同期データ受信のためのＸＭＬ  ＨＴＴＰリクエスト（ＸＭＬ  Ｈｔｔｐ  Ｒｅｑｕｅｓｔ）と、結合するためのジャバスクリプト（ＪａｖａＳｃｒｉｐｔ）とが含まれる。これら複数の技術によって、ブラウザは解放感を提供できるだろう。エイジャックス以前では、ウェブサイトはユーザに、提出／待機／リフレッシュの表示モードを強いていた。このモードは、サーバの「思考時間」と同期する。エイジャックスは、要求／応答のサイクルから上記ユーザを解放したサーバとの非同期の通信の能力をもたらす。エイジャックスにより、ユーザがボタンを押すとすぐにジャバスクリプトおよびＤＨＴＭＬを呼び出すことによって、ユーザーインターフェースはすぐにアップデートされうる。一方で、上記データベースをアップデート、または上記データベースに問い合わせるために、非同期の要求が上記サーバに送られる。上記要求がいったん戻ると、上記ユーザーインターフェースは、ページ全体をアップデートするよりむしろ、ジャバスクリプトおよびＣＳＳを呼び出すことによって、それに応じてアップデートされる。とりわけ上記ユーザは、上記ブラウザと上記サーバとの間のコミュニケーションについて無意味でさえある。：上記ウェブサイトは実時間応答をするように思われる。
【００１２】
ジャバスクリプト（ＪａｖａＳｃｒｉｐｔ）：ジャバスクリプトはＨＴＭＬ文書に埋め込まれうる新しい記述言語である。ジャバスクリプトにより、上記ユーザの要求が応答される一方、上記ネットワークはデータを転送する必要がもはやない。したがって、上記ユーザのデータが入力されると、処理のために上記サーバに上記データを送信し、返信する代わりに、上記データはクライアントのアプリケーションによって直接処理される。
【００１３】
上記ＷＥＢＧＩＳ技術に基づく１つのアプリケーションが、上記電子地図（検索）サービスである。上記電子地図（検索）サービスは、情報検索方法としてのキーワードなどを使用する。また、上記電子地図（検索）サービスは、自動化された検索技術を利用し、ユーザの要求に従って上記地図情報データベース内の関連する地図情報を照合および検索し、例えば地名、位置、交通網、計算された経路などの結果を或るランキング順に出力する。技術の進歩につれて、上記電子地図の適用分野は広がり、上記形式の明示は増加して、上記コンテンツの表現は豊かになる。
【００１４】
既存のオンライン地図は一般に、対応するＰＯＩに、テキストだけの広告または関連する広告のリンクを加えることにより、上記ＰＯＩに基づいて宣伝メッセージをロード（ｌｏａｄ）する。テキストだけの広告の場合、訪問者が上記ＰＯＩをクリックし、選択し、または上記ＰＯＩの上にマウスポインタを移動させると、テキストだけの広告が表示されうるのみである。関連する広告のリンクの場合、一旦、上記訪問者が上記関連する広告のアドレスのリンクを開くと、ポップアップの広告領域は表示地図を通常覆い、上記地図の視認性に影響を与え、上記訪問者のさらなる不便をもたらす。さらにどちらの場合も、上記訪問者の好みに基づいて上記電子地図上に広告をロードする受け身の態様である。上記広告は、強い視覚効果がなく、さらに良好な広告効果もない。
【００１５】
既存の電子地図システムには豊富な空白領域が存在する。いくつかの２Ｄ（２次元）またはマルチメディア広告をこれらの空白領域に分配すること、および広告情報を上記訪問者に勧めることは、これらの空白領域の完全な利用だけでなく、上記訪問者への強い視覚効果をもたらす。上記分配および勧めは、通常の使用を妨げずに良好な広告効果を達成し、さらに上記電子地図全体の外観における美的印象を強める。
【発明の概要】
【００１６】
従来技術の欠点を考慮して、本発明の目的は、２Ｄ電子地図の適切な領域内に広告をロードする方法を提供することである。本発明は上記地図の表示に影響を与えずに、訪問者に強い視覚効果をもたらす。
【００１７】
上述の技術的な問題を解決するために、本発明の技術的な提案は、上記電子地図に広告をロードするために、広告領域を特定するステップ（ａ）、広告を設計するステップ（ｂ）、および広告を配信するステップ（ｃ）を順に実施する方法を提供することである。本発明は、
上記広告領域を特定するステップ（ａ）では、サーバが、地理情報システム内の上記電子地図を開き、異なる表示スケールで上記電子地図上の少なくとも１つの空白領域を広告領域として特定し、各特定された広告領域に番号を付し、現在の表示スケール、座標、大きさ、および形状を含む各広告領域の属性を記録し、
上記広告を設計するステップ（ｂ）では、上記サーバが、各特定された広告領域の上記属性に従って、少なくとも１つの２Ｄ広告グラフ（ａｄｖｅｒｔｉｓｉｎｇ  ｇｒａｐｈ）を設計し、上記広告領域には上記２Ｄ広告グラフの形状が適応しており、
上記広告を配信するステップ（ｃ）では、上記サーバが、上記２Ｄ広告グラフを上記対応する広告領域に配置して、上記地理情報システムを介して、クライアントに配信する。
【００１８】
【００１９】
上記ステップ（ａ）における上記特定された広告領域は、対応する表示スケールで元の地図情報についての完全性に影響しない領域であってもよい。
【００２０】
上記ステップ（ｂ）における、上記２Ｄ広告グラフの形式の明示は、２Ｄまたはマルチメディア広告であってもよい。
【００２１】
上記２Ｄ広告グラフは、上記元の地図情報についての完全性に影響を与えるべきではない。
【００２２】
上記２Ｄ広告グラフは、不規則な形状であってもよい。
【００２３】
上記ステップ（ａ）で特定された各広告領域の形状は、対応する表示スケールで対応する位置の形状に合わせられるべきである。
【００２４】
上記ステップ（ｃ）で上記２Ｄ広告グラフの掲載は、挿入、重ね合わせ、または置き換えのうちの１つを備えてもよい。
【００２５】
もし、屋外広告が或る地理的な位置に配置される一方、広告領域として定義される上記電子地図上の対応する領域が特定され、その領域内に上記地理的な位置のコンテンツと一致するコンテンツを有する広告グラフが配置されれば、訪問者が上記電子地図によって上記位置を検索して確認するのは、より簡単であろう。
【００２６】
上記電子地図は、ラスター地図、ベクター地図または３Ｄ（３次元）地図のうちの少なくとも１つを備える。
【００２７】
本発明は、この方法で上記特定された領域に広告をロードすることによって、上記広告が上記電子地図に統合されるという利点を有する。上記広告が表示されるとき、上記広告は上記電子地図中に埋め込まれているように思われる。そして、上記広告は、上記電子地図の正常な動作に影響を与えず、上記電子地図のコンテンツをさらに豊かにすると共に上記電子地図の機能を合理的に活用する。したがって、売り込みおよび活用についてのより優れた価値を有する上記電子地図によって、すばらしい社会的な便益がもたらされる。
【図面の簡単な説明】
【００２８】
【図１】或る表示スケールで、本発明の特定された広告領域を示す概略図である。
【図２】広告がロードされた図１の特定された広告領域を示す概略図である。
【図３】別の表示スケールで、広告がロードされた図１の特定された広告領域を示す概略図である。
【図４】図３と同じ表示スケールで、異なる広告がロードされた上記特定された広告領域を示す概略図である。
【発明を実施するための形態】
【００２９】
上記ＧＩＳシステム内における電子地図データの格納モードは、ベクター地図とラスター地図とに分割される。上記構成およびその実現技術は、上述の従来技術において説明されている。以下の詳細において、上記２つの格納モードに関して、上記電子地図に広告をロードする方法の典型的な実施形態について述べる。
【００３０】
（第１実施形態）
ベクター電子地図に広告をロードする方法。
【００３１】
第１に、同じ表示スケールで広告をロードする方法が示される。この方法は以下のステップを備える。
【００３２】
（１）上記ＧＩＳの上記電子地図を開き、上記既存の電子地図データに、設計された広告グラフを配置するためのレイヤーを加えるステップ。このレイヤーは、地域区分、通り、水、緑などの複数レイヤーの最上部であって、例えば道路やＰＯＩなどのドット、ラインの複数レイヤーの最下部に配置される。
【００３３】
（２）上記表示スケールで複数の領域を特定するステップ。ここで、空白、住宅地域、および川のような領域は、上記電子地図の視認性が影響を受けない広告領域として特定される。そして上記電子地図の機能も同様に合理的に活用される。例えば、図１に示される領域Ａは、この実施形態において特定された広告領域である。例えば現在の表示スケールと共に、座標、大きさ、および上記特定された広告領域の形状のような属性を記録し、各特定された広告領域の番号付けをする。このことは、上記広告領域の属性値を設定して、検索の利便性をもたらすために上記データベースに格納することを意味する。エンドユーザは、ブラウジングするとき、より多くの情報をチェックするために、上記地図上の関心のある広告領域をクリックすることができる。また、エンドユーザがもし望むなら、上記広告領域の番号、上記広告の説明、上記サンプル広告などを検索することによって、ユーザ自身の設計から上記位置に広告を配置することができる。
【００３４】
（３）マルチメディア広告または２Ｄ広告として特定される広告領域に合わせて広告を設計するステップ。この広告領域は、図１のように概略図によって示される。広告グラフは、上記空白領域Ａの形状に従って設計されうる。この広告グラフのコンテンツは、上記電子地図中の上記空白領域Ａに対応する、実際の地理的な位置での屋外広告のコンテンツに、一致するのが望ましい。これにより、上記訪問者が上記位置を検索し、確認するのがより便利になる。
【００３５】
（４）上記設計された２Ｄまたはマルチメディアの広告をステップ（１）で述べた上記広告レイヤー中に加えるステップ。そして図２に示されているように、上記特定された領域と一致するように上記広告のグラフの位置および大きさを調整する。
【００３６】
（５）上記設計された電子地図に関するデータを保存して、地理情報システム（ＧＩＳ）を介して上記データを分配するステップ。
【００３７】
上述のステップ（４）において、上記広告レイヤーの表示範囲と共に、例えば番号、見本広告のアドレス、ＵＲＬアドレスのリンク、広告の説明、バックグラウンド・ミュージックなどのような属性値が、上記設計された広告に加えられうる。上記広告レイヤーの表示範囲内に上記広告は表示される。
【００３８】
上記説明において、同じ表示スケールで広告をロードする方法を詳細に述べた。以下では、同じ表示スケールで広告をロードする方法とは異なる、異なる表示スケールで広告をロードする方法のステップを述べる。
【００３９】
（ａ）いくつかの広告レイヤーを追加するステップ
訪問者に異なる表示スケールで異なる広告のコンテンツを提示するために、いくつかの広告レイヤーが加えられる。上記広告と上記電子地図との完全な組み合わせが作られる。また、上記広告レイヤーは、例えば地域区分、通り、水、緑などの複数レイヤーの最上部であって、例えば道路やＰＯＩなどのようなドット、ラインの複数レイヤーの最下部に、上記電子地図の通常の表示に影響を与えずに配置される。
【００４０】
（ｂ）上記電子地図の表示スケールを異なる値に調整するステップ。それらの異なる値の表示スケールの下で、複数の広告グループが特定される。各広告グループは、広告領域として定義された広告を配置するのに適した幾つかの独立した領域を含む。それらの領域は確かに空白領域である。同様に、例えば現在の表示スケール、座標、大きさおよび形状のような、各広告グループの各広告領域の属性を記録する。そして、各特定された広告領域に番号付けをする。このことは、上記広告領域の属性値を設定して、上記広告のコンテンツを検索し、表示し、アップデートする利便性のためのデータベースを格納することを意味する。上記表示スケールが増加するのにつれて、空白領域の数は増加する。そして同じ空白領域に関する領域についても同様であり、逆もまた同様である。
【００４１】
（ｃ）異なる表示スケールで、上記広告領域各々に従って、２Ｄまたはマルチメディア広告のうちの少なくとも１つの広告を設計するステップ。上記広告領域には上記広告の形状が適応する。同じ広告は、図２および図３に示されるように同じ広告領域に配置されうる。同じ広告は、上記表示スケールの増加または減少に同期して拡大または縮小される。異なる広告は、図２および図４に示されるように、異なる表示スケールで１つの広告領域にも配置されうる。これは上記電子地図の柔軟性を大いに高める。
【００４２】
（ｄ）上記設計された広告が、異なる表示スケールに従って、上記対応する広告レイヤーに加えられるステップ。そして広告がロードされた上記電子地図は、１つの表示スケールで或る態様で上記ＧＩＳを介して分配される。
【００４３】
（第２実施形態）
ラスター地図データに基づく上記ＷＥＢＧＩＳシステムは、以下の過程で上記電子地図を表示する。この過程は、幾つかの表示スケールを設定し、上記ＧＩＳで指定されたスケールで地図グラフを作成し、ジャバスクリプトおよびエイジャックスを呼び出すことによって、あらかじめ作成された地図のスライスを上記地図表示ページに丸ごと動的な態様で合わせる過程である。
【００４４】
上記ラスター地図データに広告をロードする方法は、以下のステップを備える。
【００４５】
（１）同じ表示スケールで、上記電子地図中に広告を配置するのに適した複数の領域、すなわち、広告領域を特定するステップ。上記広告領域は、上記電子地図の通常の表示に影響しないために空白領域であるべきである。例えば座標、大きさ、形状、数といった広告のコンテンツを検索し、表示し、アップデートする利便性のために、上記特定された広告領域の上記属性値を設定する。これは、エンドユーザが、ブラウジングするとき、上記地図上の関心のある広告の位置をクリックすることで、より多くの情報をチェックするためである。また、エンドユーザがもし望むなら、上記広告領域の番号、上記広告の説明、上記サンプル広告などを検索することによって、ユーザ自身の設計から上記位置に広告を配置するためである。
【００４６】
（２）各特定された広告領域の形状および大きさに従って、対応する２Ｄまたはフラッシュ広告を設計するステップ。
【００４７】
（３）各広告領域に対応する１以上の格子グラフの名前を見つけるステップ。
【００４８】
（４）各広告領域が１以上の格子グラフに対応するか否かを判断し、対応する場合にはステップ（５）へ進み、一方で、対応しない場合にはステップ（６）へスキップするステップ。
【００４９】
（５）元の格子グラフを変更して、設計された広告を上記格子グラフに配置するステップ。
【００５０】
（６）各格子グラフの位置および形状に従って、上記設計された広告をスライスして、対応する領域に置き換えるステップ。上記地図が表示されているとき、広告のスライスは丸ごと適合される。
【００５１】
（７）他の関連する属性と共に、上記サービスのデータベースに上記広告に関係する上記グラフの名前を加えるステップ。上記属性には、例えばＵＲＬアドレスのリンク、ホットスポット、広告の説明、バックグラウンド・ミュージックなどがある。
【００５２】
（８）上述のステップを繰り返し、異なる表示スケールで上記電子地図の広告領域中に、上記広告をひとつずつロードするステップ。そして最後に上記ＧＩＳを介して分配する。
【００５３】
以上の説明では、ラスター地図データ中に広告をロードする１つの方法を説明した。そして、以下では上記方法に替わる実施形態について説明する。この実施形態は以下のステップを備える。
【００５４】
（１）  同じ表示スケールで、上記電子地図中に広告を設定するための複数の領域、すなわち広告領域を特定するステップ。上記広告領域は、また、上記電子地図の通常の表示に影響しないために空白領域であるべきである。例えば座標、大きさ、形状、数といった広告のコンテンツを検索し、表示し、アップデートする利便性のために、上記特定された広告領域の上記属性値を設定する。これは、エンドユーザが、ブラウジングするとき、上記地図上の関心のある広告の位置をクリックすることで、より多くの情報をチェックするためである。また、エンドユーザがもし望むなら、上記広告領域の番号、上記広告の説明、上記サンプル広告などを検索することによって、ユーザ自身の設計から上記位置に広告を配置するためである。
【００５５】
（２）各特定された広告領域の形状および大きさに従って、対応する２Ｄまたはフラッシュ広告を設計するステップ。
【００５６】
（３）上記広告領域を正確にカバーするために、上記電子地図中のＤＩＶレイヤーの座標を調整するステップ。そして上記レイヤーの座標位置および上記広告の格納アドレスを上記広告領域の上記属性に加える。
【００５７】
（４）上記元の地図が表示されるとき、エイジャックスを呼び出すことによって、現在の表示領域に広告が存在するか否かを判断するステップ。もし広告が存在すれば、ジャバスクリプトを呼び出すことにより、上記レイヤーの座標位置および上記広告のアドレスに従って広告を分配するために、上記重ね合わされた複数の表示レイヤーを生成する。
【００５８】
上記開示された実施形態において説明された方法で分配された上記地図広告は、指定された広告領域における広告のホットスポットの集まりである。この広告領域は、上記地図の表示に影響を与えない上記地図の空白または場所における、異なる地図適用システムに従う。上記広告領域の設定および指定は、例えば２Ｄ地図や３Ｄ地図、衛星地図などの地図システムに適用されうる。上記広告は、上記訪問者に提示するとき、上記地図に分配された強制的な表示のスタイル、またはアクティブトリガリングスマート（ａｃｔｉｖｅ−ｔｒｉｇｇｅｒｉｎｇ  ｓｍａｒｔ）スタイルである。訪問者は、ブラウジングのとき、マウスを上記地図上の関心がある広告のホットスポットに移動できる。そして、上記地図上のポップアップ広告のコンテンツは、上記広告の上記情報に切り替えられる。訪問者は、上記広告のコンテンツを読むことができ、さらに上記広告のコンテンツを含むリンクしたサイトに入るために上記広告をクリックできる。上記地図広告は、例えばグラフィカルな記事広告、代わる代わる再生される広告、フラッシュ広告、ビデオ広告などの複数の形態を含みうる。これは上記訪問者に素晴らしい視覚的経験をもたらす。上記地図サービスの利潤モデルは、かなりの収入を地図サービス提供者及び広告主にもたらしうる。そしてまた、上記モデルは上記訪問者により良い地図情報サービスを提供して、上記地図のウェブサイトのコンテンツを豊かにする。
【００５９】
したがって、本発明により、地図に基づいたウェブの地図広告サービスのプラットホームが形成される。広告主は、自分たちで上記地図における適当な広告領域を見つけて、設計された広告を提出できる。この広告は、承認後の上記地図に現れる。同じ位置におけるホットスポットの広告領域は、異なる時間区分に基づいて販売さえされうる。また、例えば、場所、関心といった上記訪問者の好みに従って、より正確な広告表示サービスも提供しうる。本特許の実現は、グラフィカルな広告、フラッシュ広告、ビデオ広告等を、より便利な地図広告表示のプラットフォームとしての上記地図システム上に表示して、広告主に便利さを与えることができる。また、本特許の実現は、広告主による、広告の商業的価値を最大限に高めるための、より多様で生き生きとした広告表示の要求を満たすことができる。
【図１】
0005485886.tif 000002
【図２】
0005485886.tif 000003
【図３】
0005485886.tif 000004
【図４】
0005485886.tif 000005